(57)【要約】【課題】運転者の香りに対する反応を記憶し、運転者に作用する香りの効果を自動的に有効に供給する香り発生装置を提供する。【解決手段】運転者の緊張度を取得する緊張度取得部１と、運転者の緊張度に基づいて香りを選択する香り選択部２と、香り選択部２により選択された香りを発生する香り発生部３とを有する構成であり、香り選択部２は香り発生部３が発生した香りに対する運転者の反応を運転者の緊張度に基づいて判定し、緊張度と香りの対応関係を変更することで時々の運転状況に適する状態へ誘う香りを運転者に応じて発生させ、運転を快適で安全にする香り発生装置を提供する。【選択図】図１
2005313673.tif 000002
【特許請求の範囲】
【請求項１】
車両の運転者に香りを提供する香り発生装置であって、
運転者の緊張度を取得する緊張度取得部と、
前記緊張度と複数の香りとの対応関係を記憶する対応記憶部と、
前記緊張度取得部で取得した緊張度と前記対応記憶部で記憶する対応関係に基づいて香りを選択する香り選択部と、
前記香り選択部により選択された香りを発生する香り発生部とを備え、
前記香り選択部は、前記香り発生部が発生した香りに対する前記運転者の反応を前記緊張度取得部で取得した運転者の緊張度に基づいて判定し、前記対応記憶部で記憶している対応関係を変更することを特徴とする香り発生装置。
【請求項２】
車外情報を取得する車外情報取得部をさらに備え、
前記対応記憶部は前記緊張度と複数の香りとの対応関係を前記車外情報に基づいて分類して記憶し、
前記香り選択部は前記緊張度と前記車外情報と前記対応関係に基づいて香りを選択し、
前記香り発生部が発生した香りに対する前記運転者の反応を前記緊張度取得部で取得した運転者の緊張度に基づいて判定し、前記車外情報に基づいて分類して記憶している対応関係を変更することを特徴とする請求項１記載の香り発生装置。
【請求項３】
運転者の緊張度を取得するステップと、
取得した緊張度と複数の香りとの対応関係に基づいて香りを選択するステップと、
選択された香りを発生するステップと、
発生した香りに対する運転者の反応を緊張度に基づいて判定するステップと、
判定結果に基づいて緊張度と複数の香りとの対応関係を変更するステップとを含む香り発生方法。
【請求項４】
車外情報を取得するステップをさらに含み、
前記香りを選択するステップは、取得した緊張度と、取得した車外情報と、車外情報に基づいて分類された緊張度と複数の香りとの対応関係とに基づいて香りを選択することを特徴とする請求項３記載の香り発生方法。
【発明の詳細な説明】
【技術分野】
【０００１】
本発明は、車室内において香りを発生させる香り発生装置および発生方法に関するものである。
【背景技術】
【０００２】
従来の香り発生装置は、カーナビゲーション装置や運転者の脳波形の情報に基づいて、覚醒効果のあるといわれるレモンの香りやリラックス効果のあるといわれるラベンダーの香りを選択して運転者に供給することで、運転の安全性や快適性を向上させようとしていた。また、予想される将来の情報を反映させて香りを発生させる方法も考えられている（例えば特許文献１参照）。
【特許文献１】特開平１１−２７８０４８号公報
【発明の開示】
【発明が解決しようとする課題】
【０００３】
しかしながら、前記従来の構成では、運転者の嗜好があるために、必ずしも覚醒効果のあるといわれるレモンの香りが運転者を覚醒させたり、リラックス効果のあるといわれるラベンダーの香りが運転者をリラックスさせるとは限らず、一般に言われている効果とは逆の効果を与えることも考えられる。
【０００４】
本発明は、前記従来の課題を解決するもので、運転者の嗜好に合わせて自動的に効果的な香りを供給することを目的とするのものである。
【課題を解決するための手段】
【０００５】
前記従来の課題を解決するために、本発明は、車両の運転者に香りを提供する香り発生装置であって、運転者の緊張度を取得する緊張度取得部と、緊張度と複数の香りとの対応関係を記憶する対応記憶部と、緊張度取得部で取得した緊張度と対応記憶部で記憶する対応関係に基づいて香りを選択する香り選択部と、香り選択部により選択された香りを発生する香り発生部とを備え、香り選択部は、香り発生部が発生した香りに対する運転者の反応を緊張度取得部で取得した運転者の緊張度に基づいて判定し、対応記憶部で記憶している対応関係を変更する構成を有している。
【０００６】
また、車外情報を取得する車外情報取得部をさらに備え、対応記憶部は緊張度と複数の香りとの対応関係を車外情報に基づいて分類して記憶し、香り選択部は緊張度と車外情報と対応関係に基づいて香りを選択し、香り発生部が発生した香りに対する運転者の反応を緊張度取得部で取得した運転者の緊張度に基づいて判定し、車外情報に基づいて分類して記憶している対応関係を変更する構成にしてもよい。
【発明の効果】
【０００７】
本発明の香り発生装置は、発生させた香りに対する運転者の反応を運転者の緊張度に基づいて判定して、その香りの運転者に作用する効果を評価して香りを変更するので、時々の運転状況に適する状態へ誘う香りを運転者に応じて発生させることができ、またその状況と香りの対応関係を記憶することで香りの変更を最低限に抑え、運転を快適で安全にする効果を奏するものである。
【発明を実施するための最良の形態】
【０００８】
以下、本発明の実施の形態の香り発生装置について、図面を用いて説明する。
【０００９】
（実施の形態１）
本発明の実施の形態１における、香り発生装置のブロック図を図１に示す。図１において、香り発生装置は、運転者の緊張度を取得する緊張度取得部１と、緊張度取得部１から得た情報に基づいて香りを選択する香り選択部２と、香り選択部２により選択された香りを発生させる香り発生部３とを有する構成であり、香り選択部２は香り発生部３から発生された香りに対する運転者の反応を緊張度取得部１より取得し、運転者の反応に応じて香りを変更することが可能である。
【００１０】
図２は、香り発生装置の香り選択部２のブロック図である。図２において、香り発生装置の香り選択部２は、緊張度取得部１から得られる情報と香りとの対応関係をその有効度と共に記憶する対応記憶部４と、緊張度取得部１から得た情報と対応記憶部４に記憶されている対応関係とその有効度に基づいて香り発生部３で発生させる香りを決定する香り決定部５と、香り発生部３で発生させた香りを緊張度取得部１から得た情報により評価して対応記憶部４で記憶されている対応関係とその有効度を変更する香り評価部６とを有する。
【００１１】
図３、図４は、香り発生装置の対応記憶部４で記憶する対応関係とその有効度の例を示している。ここでは緊張度として心拍数を用いている。対応関係は、運転者の心拍数、その心拍数の場合に発生させる香りの種類、その対応関係に対する有効度のパラメータを持つ。心拍数は、例えば５０以下、１００以上の２通りとし、香りは、リラックス効果のあるといわれるラベンダー、カモミール、ジャスミン、ゼラニウム、覚醒効果のあるといわれるローズマリー、ペパーミント、レモン、ベルガモットの中から選ぶこととする。対応関係の初期値としては図３のように、心拍数の高いときにはリラックス効果のある香りを、心拍数の低いときには覚醒効果のある香りを、それぞれ同じ有効度で与えておく。香りに対する運転者の反応により、対応関係とその有効度は図４のように変わっていく。
【００１２】
次に、本実施形態における香り発生装置の動作を図５のフロー図を用いて説明する。まず緊張度取得部１により運転者の心拍数を取得する（ステップＳ１１）。緊張度取得部は、例えば、ハンドルに固定された心拍計などである。心拍計の位置は問わず、シートベルトやシート等に固定されていても良い。次に、ステップＳ１１で取得した心拍数に適した対応関係を有効度に応じて確率的に選択し（ステップＳ１２）、選択された対応関係の香りを香り発生部３により発生させる（ステップＳ１３）。そして、発生させた香りに対する運転者の反応として運転者の心拍数を緊張度取得部１で取得する（ステップＳ１４）。ステップＳ１５では、ステップＳ１４で取得した心拍数を用いてステップＳ１２で選択された香りを評価し、対応記憶部４で記憶されている対応関係とその有効度を変更する。
【００１３】
次に、香り発生装置の香り評価部６の動作を図６を用いて説明する。図６は香り評価部６の動作を説明するフロー図で、まずステップＳ２１は香り決定部５で選択された香りの対応関係を取得する。次に、選択された香りの発生前と後の運転者の心拍数の変化を緊張度取得部１で取得し（ステップＳ２２）、香り発生前の心拍数に比べ、香り発生後の心拍数が目標値５０〜１００に近づいたかどうかを判定する（ステップＳ２３）。目標値に近づいたと判断すると、香り決定部５で選択された香りについて対応する有効度を増加させ（ステップＳ２４）、近づいていないと判断すると、有効度を減少させる（ステップＳ２５）。ステップ２５で、有効度が０以下になった対応関係は、香りをランダムで別のものにし一定の有効度を与える。これは有効でないと判断された対応関係を取り除き、有効となりうる他の対応関係を用いるようにするためである。最後に、香り決定部５で選択された香りと同じ心拍数の条件を持つ全ての対応関係に対して該当する対応関係の有効度を正規化して（ステップＳ２６）、処理を終了する。
【００１４】
なお、緊張度取得部１は、香りに対する運転者の反応を得るものであれば、瞬目や発汗などの生体反応などでも良い。例えば、瞬目は電極を瞼の上下に貼り電位差により取得し、発汗は湿度センサーにより取得する。これらの場合も心拍数の場合と同じく、一定時間の瞬目数や湿度と香りとの対応関係を作り、香りを選択すれば良い。また、ハンドル、アクセル、ブレーキなどの車両を操作する装置の操作状況を緊張度として用いることもできる。これらの場合は各操作の変化の加速度を取得し、緊張度とすれば良い。例えば、操作装置の変化の加速度が一定値以内であれば正常、一定値以上であれば緊張状態とし判定する。香り選択部２、香り発生部３は、香りの種類だけでなく濃度を組合せて選択、発生させてもよい。対応記憶部４で記憶する対応関係の緊張度の決め方は何通りでもよく、値も自由に定めてよい。対応関係の香りの種類はどのようなものでもよく、種類数も問わない。有効度は他の対応関係との有効性が表せればどのように定めてもよく、緊張度に対する香りが１通りの場合や、ランダムに選択する場合は定めなくともよい。該当する対応関係がない場合は、香りを発生させないこととする。対応関係の総数は規定しない。運転者に対して香り評価部６で用いる目標値や、有効度の増加減少の程度は対応関係の組み合わせが有効に働くのであればどのように定めてもよい。
【００１５】
（実施の形態２）
本発明の実施の形態２における、香り発生装置のブロック図を図７に示す。図７において、香り発生装置は、運転者の緊張度を取得する緊張度取得部１と、車外情報取得部７と、緊張度取得部１と車外情報取得部７から得た情報に基づいて香りを選択する香り選択部２と、香り選択部２により選択された香りを発生させる香り発生部３とを有する構成であり、香り選択部２は香り発生部３から発生された香りに対する運転者の反応を緊張度取得部１より取得し、運転者の反応に応じて香りを変更することが可能である。
【００１６】
図８は、香り発生装置の香り選択部２のブロック図である。図８において、香り発生装置の香り選択部２は、緊張度取得部１から得られる情報と香りの対応関係とその有効度を車外情報取得部７から得られる情報に基づいて分類し記憶する対応記憶部４と、緊張度取得部１から得た情報と車外情報取得部７から得た情報と対応記憶部４に記憶されている対応関係とその有効度に基づいて香り発生部３で発生させる香りを決定する香り決定部５と、香り発生部３で発生させた香りを緊張度取得部１から得た情報により評価して対応記憶部４で記憶されている対応関係とその有効度を変更する香り評価部６とを有する。
【００１７】
図９は、香り発生装置の対応記憶部４で記憶する対応関係の例を示している。対応関係は対応関係群として車外情報ごとに分類されており、対応関係群はそれぞれ図３のように緊張度取得部１から得られる情報と香りの対応関係とその有効度の集合からなる構成となっている。ここでは緊張度として心拍数を、車外情報として天候を用いている。該当する天候の種類に対応する対応関係群のみにおいて、香りに対する運転者の反応により、その対応関係群に属する対応関係とその有効度が図４のように変わっていくこととなる。天候の種類は台風や雷雨、暴風雨など天候を表すものであればどのようなものでもよい。なお、車外情報は天候以外でもよく、渋滞の距離や渋滞時間、目的地までの予想到着時間、山間部や市街地といった土地の種類などの交通情報でも良い。これらの車外情報は、ナビゲーション装置などから取得したり、外部から通信で送られてくる情報を受信することによって得られる。緊張度と車外情報の取得する順はどちらが先でも構わない。対応関係の定め方は上述のとおりであるので詳細な説明は省略する。
【００１８】
次に、本実施形態における香り発生装置の動作を図１０のフロー図を用いて説明する。まず緊張度取得部１により運転者の心拍数を取得する（ステップＳ５１）。次に、車外環境取得部７により天候を取得し（ステップＳ５２）、取得した天候に対応する対応関係群に含まれるステップＳ５１で取得した心拍数に適した対応関係を有効度に応じて確率的に選択し（ステップＳ５３）、選択された対応関係の香りを香り発生部３により発生させる（ステップＳ５４）。そして、発生させた香りに対する運転者の反応として運転者の心拍数を緊張度取得部１で取得する（ステップＳ５５）。ステップＳ５６では、ステップＳ５５で取得した心拍数を用いてステップＳ５３で選択された香りを評価し、対応記憶部４で記憶されている対応関係とその有効度を変更する。
【００１９】
香り発生装置の香り評価部６の動作は上述したとおりであるので、詳細な説明は行わない。
【産業上の利用可能性】
【００２０】
以上のように、本発明にかかる香り発生装置は、運転者の状態と嗜好に応じた香りを発生させることができ、車両の運転をより快適にし、運転中のストレスの軽減できるという効果を有し、車室内において香りを発生させる装置として利用することができる。
【図面の簡単な説明】
【００２１】
【図１】本発明の実施の形態１における香り発生装置のブロック図
【図２】本発明の実施の形態１における香り発生装置の香り選択部のブロック図
【図３】本発明の実施の形態１における香り発生装置の対応記憶部の対応関係例を示す図
【図４】本発明の実施の形態１における香り発生装置の対応記憶部の対応関係例を示す図
【図５】本発明の実施の形態１における香り発生装置のフロー図
【図６】本発明の実施の形態１における香り発生装置の香り評価部のフロー図
【図７】本発明の実施の形態２における香り発生装置のブロック図
【図８】本発明の実施の形態２における香り発生装置の香り選択部のブロック図
【図９】本発明の実施の形態２における香り発生装置の対応記憶部の対応関係例を示す図
【図１０】本発明の実施の形態２における香り発生装置のフロー図
【符号の説明】
【００２２】
１    緊張度取得部
２    香り選択部
３    香り発生部
４    対応記憶部
５    香り決定部
６    香り評価部
７    車外情報取得部
【図１】
2005313673.tif 000003
【図２】
2005313673.tif 000004
【図３】
2005313673.tif 000005
【図４】
2005313673.tif 000006
【図５】
2005313673.tif 000007
【図６】
2005313673.tif 000008
【図７】
2005313673.tif 000009
【図８】
2005313673.tif 000010
【図９】
2005313673.tif 000011
【図１０】
2005313673.tif 000012